【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
ヒトの眼の自然水晶体嚢内に移植するための順応化眼内レンズであって、前記移植用レンズが、
前側および後側を有する中心光学部を含有するレンズ本体と、および、該光学部の周囲で間隔をあけて該光学部の一端から概して半径方向に伸びており、該光学部に対して前方および後方へ移動可能な対向する外端を有する１つまたは複数の延長された支持部（１２）と、および、
１つまたは複数の延長された支持部を眼の自然水晶体嚢内に固定するために１つまたは複数の延長された支持部の遠位部分から伸びている１つまたは複数の突起部（１４）の形状にある拡大された遠位構造的特徴と、を備えてなる移植用レンズ。
【請求項２】
延長された支持部が板状支持部である請求項１記載のレンズ。
【請求項３】
延長された支持部が円板状支持部である請求項１記載のレンズ。
【請求項４】
延長された支持部が１つまたは２つの半円板状部材を備える請求項１または３記載のレンズ。
【請求項５】
１つまたは複数の延長された支持部が板状支持部と、および該板状支持部の遠位隅部から伸びている柔軟性延長部（２０）と、を備える請求項１記載のレンズ。
【請求項６】
延長部が突起部（２４）を有する請求項５記載のレンズ。
【請求項７】
突起部がノブ（８２）を備える請求項１記載のレンズ。
【請求項８】
延長された支持部がそれらの遠位部分に開口部（１３８，１５４）を含有する請求項１記載のレンズ。
【請求項９】
開口部がスロット状開口部（１５４）を備える請求項８記載のレンズ。
【請求項１０】
延長された支持部が板状支持部を含有し、該板状支持部が該支持部の遠位部分の側縁に規定された切り欠き（７０）を有する請求項１記載のレンズ。
【請求項１１】
延長された支持部が４枚板状支持部を備えており、該板状支持部が該板の遠位縁部分に規定された開口部（７０）を有する請求項１記載のレンズ。
【請求項１２】
延長された支持部の少なくとも１つが光学部に隣接する薄い部分を有する板状支持部を備える請求項１記載のレンズ。
【請求項１３】
延長された支持部が、該支持部の表面から前方または後方のどちらかへ伸びている突起部（１４，２４，４６，８６）を有する板状支持部を備える請求項１記載のレンズ。
【請求項１４】
延長された支持部が、該支持部の表面から前方および後方の両方へ伸びている突起部（１４，２４，４６，８６）を有する板状支持部を備える請求項１記載のレンズ。
【請求項１５】
板状支持部の少なくとも１つが１つまたは複数の切り欠き（７０）を有する請求項１３または１４記載のレンズ。
【請求項１６】
４枚板状支持部を有する請求項１２，１３，１４または１５記載のレンズ。
【請求項１７】
板状支持部各々が光学部に隣接する薄い部分を有する請求項１３，１４または１５記載のレンズ。
【請求項１８】
延長された支持部が、該光学部から様々な方向に伸びている少なくとも２つの板状支持部の遠位部分の外側縁に規定された切り欠き（７０）を有する板状支持部を備えており、該縁部分が該支持部の長手軸に対して実質的な角度で配置されている請求項１記載のレンズ。
【請求項１９】
延長された支持部が、該支持部の表面から前方もしくは後方のどちらか、または前方および後方の両方へ伸びている突起部（１４，２４，４６，８６）を有する板状支持部を備える請求項１２記載のレンズ。
【請求項２０】
延長された支持部が、少なくともそのうちの１つが光学部に隣接する薄い部分を有する板状支持部を備える請求項１４記載のレンズ。
【請求項２１】
延長された支持部が突起部を有して切り欠きを含有する４枚板状支持部を備えており、および該板状支持部が該光学部に隣接する薄い部分を有する請求項１記載のレンズ。
【請求項２２】
突起部（３２）が板状支持部（３６）の遠位部分から伸びているバネ状ループもしくはフィンガー（３４）から外向きに伸びている請求項２記載のレンズ。
【請求項２３】
概してアーチ状の形状の複数のフィラメント状支持部（１１８）が円板状支持部から伸びており、各フィラメント状支持部（１１８）の端にノブまたは突起部（１２０）が配置されている請求項３記載のレンズ。
【請求項２４】
それらの端に突起部を備える複数のループ状支持部（１１４）が半円板状部材から伸びている請求項４記載のレンズ。
【請求項２５】
ヒトの眼の自然水晶体嚢内に移植するための眼内レンズであって、前記移植用レンズは、
前側および後側を有して光学部を含有するレンズ本体、および、前記光学部の周囲で間隔をあけており前記光学部に隣接する内端および前記光学部から伸びている外端を有する２つ以上の板状支持部、および、
前記支持部を眼の自然水晶体嚢内に固定するために１つ以上の前記支持部の前側および／または後側の少なくとも１つの側から外向きに伸びている複数の突起部を備えてなり、
前記支持部の少なくとも１つは、前記レンズが眼の自然水晶体嚢へ移植された後に、前記支持部外端開口部を通しての前嚢遺残から後嚢遺残への線維形成を許容するようにそれを通して形成された複数の開口部を有する、移植用レンズ。
【請求項２６】
ヒトの眼の自然水晶体嚢内に移植するための眼内レンズであって、前記移植用レンズは、
前側および後側を有して光学部を含有するレンズ本体、および、前記光学部の周囲で間隔をあけており前記光学部に隣接する内端および前記光学部から伸びている外端を有する支持部を備えてなり、
前記支持部は前記支持部は複数の４枚板状支持部を有し、前記支持部外端は前記支持部内端の幅より大きな幅を有し、かつ、
前記支持部の少なくとも１つは、前記支持部を眼の自然水晶体嚢内へ固定するために前記少なくとも１つの支持部の前側および／または後側の少なくとも１つの側から外向きに伸びている複数の突起部を有する、移植用レンズ。
【請求項２７】
人の目の自然水晶体嚢内に移植するための眼内レンズであって、前記移植用レンズは、
前側および後側を有して光学部を含有するレンズ本体、および、前記光学部の周囲で間隔をあけており前記光学部に隣接する内端および前記光学部から伸びている外端を有する支持部を備えてなり、
前記支持部は前記支持部は複数の４枚板状支持部を有し、前記支持部外端は前記支持部内端の幅より大きな幅を有し、かつ、
前記支持部外端の少なくとも１つは、前記支持部外端に隣接する内端および前記支持部外端から外向きに伸びている外端を有する1 つ以上の柔軟性ループを有する、移植用レンズ。
【請求項２８】
前記柔軟性ループ外端がその上に配置されたノブを有する、請求項２７記載のレンズ。
【請求項２９】
ヒトの眼の自然水晶体嚢内に移植するための眼内レンズであって、前記移植用レンズは、
前側および後側を有して光学部を含有するレンズ本体、および、前記光学部の周囲で伸びており前記光学部に隣接する内側部分および前記光学部から伸びている外側部分を有する円板状支持部、および
前記円板に結合された内端および前記円板外側部分から外向きに伸びている外端を有する複数のループを備えてなり、前記ループは移植後に眼の自然水晶体嚢内に前記レンズを固定するために適応している、移植用レンズ。
【請求項３０】
前記ループが前記ループ外端上に配置されたノブを有する、請求項２９記載のレンズ。
【請求項３１】
ヒトの眼の自然水晶体嚢内に移植するための眼内レンズであって、前記移植用レンズは、
前側および後側を有して光学部を含有するレンズ本体、および、前記光学部の周囲で伸びており前記光学部に隣接する内側部分および前記光学部から伸びている外側部分を有する円板状支持部、および
前記円板状支持部を眼の自然水晶体嚢内に固定するために前記円板状支持部の前側および／または後側の少なくとも１つの側から外向きに伸びている複数の突起部を備えてなり、かつ、
前記円板状支持部は、眼の自然水晶体嚢内に前記レンズが移植された後に、前記円板状支持部開口部を通しての前嚢遺残から後嚢遺残への線維形成を許容するようにそれを通して形成された複数の開口部を有する、移植用レンズ。
【請求項３２】
ヒトの眼の自然水晶体嚢内に移植するための眼内レンズであって、前記移植用レンズは、
前側および後側を有して光学部を含有するレンズ本体、および、前記光学部の周囲で伸びており前記光学部に隣接する内側部分および前記光学部から伸びている外側部分を有する円板状支持部、および、
前記円板状支持部を眼の自然水晶体嚢内に固定するために前記円板状支持部の前側および／または後側の少なくとも１つの側から外向きに伸びている複数の突起部、を備える移植用レンズ。
【請求項３３】
ヒトの眼の自然水晶体嚢内に移植するための眼内レンズであって、前記移植用レンズは、
前側および後側を有して光学部を含有するレンズ本体、および、前記光学部から伸びており前記光学部に隣接する内側部分および前記光学部から伸びている外側部分を有する２つの半円板状支持部、および、
前記半円板に結合された内端および前記半円板状外側部分から外向きに伸びている外端を有する１つ以上のループを備えており、前記ループは移植後に眼の自然水晶体嚢内に前記レンズを固定するために適応している、移植用レンズ。
【請求項３４】
前記ループが前記ループ外端上に配置されたノブを有する、請求項３３記載のレンズ。
【請求項３５】
前記突起部が支持部の前側および／または外側から伸びている円形ノブである、請求項２５記載のレンズ。
【請求項３６】
前記突起部が円板状支持部の前側および／または外側から伸びている円形ノブである、請求項３１記載のレンズ。
【請求項３７】
前記突起部が円板状支持部の前側および／または外側から伸びている円形ノブである、請求項３２記載のレンズ。
【請求項３８】
前記2 つ以上の板状支持部が複数の４枚板状支持部を有しており、前記支持部外端は前記支持部内端の幅より大きな幅を有する、請求項２５記載のレンズ。
【請求項３９】
ヒトの眼の自然水晶体嚢内に移植するための眼内レンズであって、前記移植用レンズは、
前側および後側を有して光学部を含有するレンズ本体、および、前記光学部の周囲で間隔をあけており前記光学部に隣接する内端および前記光学部から伸びている外端を有する２つ以上の支持部を備えてなり、かつ、
前記支持部の少なくとも１つは、眼の自然水晶体嚢内に前記支持部を固定するために前記少なくとも１つの支持部の前側および／または後側の少なくとも１つから外向きに伸びている複数の突起部を備える、移植用レンズ。
【請求項４０】
ヒトの眼の自然水晶体嚢内に移植するための眼内レンズであって、前記移植用レンズは、
前側および後側を有して光学部を含有するレンズ本体、および、前記光学部の周囲で間隔をあけており前記光学部に隣接する内端および前記光学部から伸びている外端を有する２つ以上の支持部を備えてなり、かつ、
前記支持部外端の少なくとも１つは、前記支持部を眼の自然水晶体嚢内に固定するために前記支持部から外向きに伸びている１つ以上の突起部を備える、移植用レンズ。
【請求項４１】
ヒトの眼の自然水晶体嚢内に移植するための眼内レンズであって、前記移植用レンズは、
前側および後側を有して光学部を含有するレンズ本体、および、前記光学部の周囲で間隔をあけており前記光学部に隣接する内端および前記光学部から伸びている外端を有する４つの支持部、および
前記支持部を眼の自然水晶体嚢内に固定するために各支持部の外端から伸びている横断部分を備えており、前記横断部分が横断部分から伸びている１つ以上の突起部を有する、移植用レンズ。